(57)【要約】【課題】ベアリング３を介して内輪２と外輪１とが相対回転自在に組み合わされ、内輪２の内周側に嵌め込まれる軸６を内輪２に固定するように、内輪２の外周側から内周側へ貫通してねじ込まれる螺子４を有するベアリングユニットにおいて、螺子４が弛むことにより螺子孔２２から抜ける方向への螺子４の移動を抑制して螺子４の弛み止めとすることにより、弛み止めのための構成を簡略化する。【解決手段】  内輪２の外周上で螺子４に対応する位置にスナップリング５を設け、このスナップリング５によって螺子４を外周側から押圧する。【選択図】図２
2013139855.tif 000002
【特許請求の範囲】
【請求項１】
ベアリングを介して内輪と外輪とが相対回転自在に組み合わされ、内輪の内周側に嵌め込まれる軸を内輪に固定するように、内輪の外周側から内周側へ貫通してねじ込まれる螺子を有するベアリングユニットであって、
内輪の外周上で螺子に対応する位置にリング体を設け、該リング体によって螺子を外周側から押圧することを特徴とするベアリングユニット。
【請求項２】
請求項１において、
前記リング体は、径を縮めるように付勢されたばね材によって形成されたスナップリングであることを特徴とするベアリングユニット。
【請求項３】
請求項１又は２において、
内輪の外周側で、螺子に対応する位置に外周面に沿って環状溝を形成し、この環状溝内にリング体が嵌め込まれていることを特徴とするベアリングユニット。
【請求項４】
請求項１乃至３のいずれかにおいて、
内輪にねじ込まれた螺子のねじ込み基端の端面に、リング体と係合する係合溝が形成されていることを特徴とするベアリングユニット。
【発明の詳細な説明】
【技術分野】
【０００１】
本発明は、ベアリングを介して内輪と外輪とが相対回転自在に組み合わされ、内輪の内周側に嵌め込まれる軸を内輪に固定するように、内輪の外周側から内周側へ貫通してねじ込まれる螺子を有するベアリングユニットに関する。
【背景技術】
【０００２】
ボルトや螺子（本明細書では、それらを総称して螺子という）の弛み止めのための工夫は、従来から各種提案されている。例えば、下記特許文献１には、ボルトの角形頭部にまわり止めを成すプレートを嵌めたものが提案されている。このプレートは、プレート自体がボルト頭部を係合した状態で回転しないようにボルトによって固定される部材の穴に嵌められて係合されている。
【先行技術文献】
【特許文献】
【０００３】
【特許文献１】実開平５−４７５２６号公報
【発明の概要】
【発明が解決しようとする課題】
【０００４】
しかし、上記特許文献１の技術では、ボルトによって固定される部材に穴を形成し、その穴内にプレートを嵌め、更にプレートが穴から外れないようにスナップリングでカバーする必要がある。即ち、ボルトによって固定される部材に孔を形成し、プレートとスナップリングとを設けなければならず、ボルトの弛み止めのための構成が複雑である。
本発明は、このような問題に鑑み、螺子が弛むことにより螺子孔から抜ける方向への螺子の移動を抑制して螺子の弛み止めとすることにより、弛み止めのための構成を簡略化することを課題とする。
【課題を解決するための手段】
【０００５】
本発明の第１発明は、ベアリングを介して内輪と外輪とが相対回転自在に組み合わされ、内輪の内周側に嵌め込まれる軸を内輪に固定するように、内輪の外周側から内周側へ貫通してねじ込まれる螺子を有するベアリングユニットであって、内輪の外周上で螺子に対応する位置にリング体を設け、該リング体によって螺子を外周側から押圧することを特徴とする。
第１発明によれば、螺子が内輪の外周側からねじ込まれて内輪の内周側に軸が固定されている状態で、螺子のねじ込み基端がリング体により押圧されているため、螺子は弛んで内輪の外周側に移動することができず、リング体は螺子の弛み止めとして機能する。このとき、弛み止めはリング体を内輪の外周側に設けるのみで達成できるため、弛み止めのための構成を簡略化することができる。
【０００６】
本発明の第２発明は、上記第１発明において、前記リング体は、径を縮めるように付勢されたばね材によって形成されたスナップリングであることを特徴とする。
第２発明によれば、リング体としてスナップリングを用いたため、内輪の外周にスナップリングを嵌めるのみの簡単な構成で弛み止めを実現することができる。
【０００７】
本発明の第３発明は、上記第１又は第２発明において、内輪の外周側で、螺子に対応する位置に外周面に沿って環状溝を形成し、この環状溝内にリング体が嵌め込まれていることを特徴とする。
第３発明によれば、リング体が環状溝に嵌って位置決めされるので、リング体を螺子から位置ずれすることなく内輪の外周に嵌めることができる。
【０００８】
本発明の第４発明は、上記第１乃至第３発明のいずれかにおいて、内輪にねじ込まれた螺子のねじ込み基端の端面に、リング体と係合する係合溝が形成されていることを特徴とする。
第４発明によれば、螺子のねじ込み基端の端面に係合溝を設けたので、リング体と係合溝とが係合した状態では、螺子の回転を抑制して螺子の弛みを抑制することができる。
【図面の簡単な説明】
【０００９】
【図１】本発明の一実施形態の正面図である。
【図２】上記実施形態のＩＩ−ＩＩ線断面図である。
【発明を実施するための形態】
【００１０】
本発明の一実施形態を図１、２に基づいて説明する。
ベアリングユニットは、公知のようにベアリング３を介して内輪２と外輪１とが相対回転自在に組み合わされ、内輪２の内周側に嵌め込まれる軸６を内輪２に固定するように、内輪２の外周側から内周側へ貫通してねじ込まれる螺子４を有する。この場合、螺子４は、内輪２の内周側に軸６を固定するためにねじ込まれると、内輪２の螺子孔２２内に埋没する形状及び大きさとされている。即ち、螺子４は、頭部レスの全ねじの所謂「いもねじ」であり、ねじ込み基端の端面には六角レンチが係合するための六角形状の穴（不図示）が形成されている。また、螺子４の長さは、内輪２の肉厚より小さくされている。このため、内輪２の内周側に軸６を固定するため、六角レンチにより螺子孔２２に螺子４がねじ込まれ、軸６の固定が完了すると、螺子４のねじ込み基端は、内輪２の外周面よりも低い位置に埋没されている。図示の実施形態では、内輪２の内周面と軸６の外周面との間に殆ど隙間が生じない程度の外径の軸６が選定されているが、軸６の外径がそれより小さい場合には、軸６の外径の程度に応じて螺子４の長さが長くされる。
内輪２の外周側で、螺子孔２２に対応する位置には、外周面に沿って環状溝２１が形成されている。この環状溝２１は、内輪２の螺子孔２２の中心線上を通る位置に形成されている。また、環状溝２１の外周面上における深さは、外周面上の全てで均一であり、環状溝２１に嵌められるスナップリング５の内周端が、軸６を固定した状態の螺子４のねじ込み基端を押圧する位置となるように設定されている。
スナップリング５は、公知のばね鋼から成るＣ型のものであり、径を縮めるように付勢されている。スナップリング５の一対の開放端部５１の各孔５２に工具を挿入して環状溝２１への着脱が行われる。
螺子４のねじ込み基端の端面には、係合溝４１が形成されており、この係合溝４１は、係合溝４１の方向がスナップリング５の方向と一致したとき、スナップリング５が係合溝４１と係合するようにされている。螺子４のねじ込み基端の端面の直径方向に６０°間隔で３本の係合溝４１が設けられている。図２では、３本の係合溝４１のうちの１本がスナップリング５と係合している状態を示している。
スナップリング５に係合溝４１が係合していない状態では、スナップリング５は螺子４のねじ込み基端の端面の係合溝４１のない場所に乗り上げているが、螺子４が僅かに回転すればスナップリング５が係合溝４１に係合して、それ以上螺子４が回転しないようにする。なお、係合溝４１の本数を３本より増加させても良い。その場合は、スナップリング５と係合溝４１とが係合し易くなる。即ち、螺子４の回転が少なくてもスナップリング５と係合溝４１とが係合する。そのため、螺子４の回転を抑制する効果を高めることができる。
【００１１】
上記実施形態によれば、螺子４が内輪２の外周側からねじ込まれて内輪２の内周側に軸６が固定されている状態で、環状溝２１にスナップリング５を嵌め込むことにより、螺子４のねじ込み基端がスナップリング５により押圧されるため、螺子４は弛んで内輪２の外周側に移動することができず、スナップリング５は螺子４の弛み止めとして機能する。従って、使用中のベアリングユニットにおいて、温度変化などにより螺子４が弛んで外れ周囲に悪影響を与える問題をなくすことができる。例えば、ベアリングユニットが食品工場で使用されている場合、螺子４が生産中の食品やその原料中に混入してしまう問題をなくすことができる。
このとき、弛み止めはスナップリング５を内輪２の外周側に設けるのみで達成できるため、弛み止めのための構成を簡略化することができる。
また、螺子４の弛み止めとしてスナップリング５を用いたため、内輪２の外周にスナップリング５を嵌めるのみの簡単な構成で弛み止めを実現することができる。
更に、スナップリング５が環状溝２１に嵌って位置決めされるので、スナップリング５を螺子４から位置ずれすることなく内輪２の外周に嵌めることができる。
更にまた、螺子４のねじ込み基端の端面に係合溝４１を設けたので、スナップリング５と係合溝４１とが係合した状態では、螺子４の回転を抑制して螺子４の弛みを抑制することができる。
【００１２】
本発明は、上記実施形態で説明した外観、構成に限定されず、本発明の要旨を変更しない範囲で種々の変更、追加、削除が可能である。例えば、
１．リング体は、スナップリングの他に、内輪の外周に巻き付けて両端を互いに係止させて成るリング体でも良い。また、スナップリングとしては、Ｃ型、Ｅ型など公知の各種形態のものを採用することができる。
２．外周溝は、内輪の外周面を削って形成されたものの他に、溝となる部分の隣接部分を突出させて形成しても良い。
３．本発明が適用されるベアリングユニットとしては、ピロー形、フランジ形など各種形態のものがある。
【符号の説明】
【００１３】
１    外輪
２    内輪
２１  環状溝
３    ベアリング
４    螺子
４１  係合溝
５    スナップリング（リング体）
６    軸
【図１】
2013139855.tif 000003
【図２】
2013139855.tif 000004